【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
データストレージサーバと、サービスプロバイダサーバと、ゲートウェイとを含むシステムであって、前記サービスプロバイダサーバは前記データストレージサーバと通信し、前記ゲートウェイは前記データストレージサーバと通信し、
前記データストレージサーバは、第１のトークンを生成し、前記サービスプロバイダサーバから記録を受信し、前記サービスプロバイダサーバに第１のトークンを発行し、前記サービスプロバイダサーバから第１のトークンを受信するように構成され、
前記データストレージサーバは、前記ゲートウェイからセンサデータを受信するように構成され、前記ゲートウェイは、前記サービスプロバイダサーバに登録されたデバイスから前記センサデータを受信するように設定され、前記データストレージサーバは、前記ゲートウェイから前記センサデータを受信した後に前記ゲートウェイに第２のトークンを発行するように構成され、
前記データストレージサーバはさらに、前記受信したセンサデータを前記データストレージサーバに記憶する、または前記受信したセンサデータを前記サービスプロバイダサーバに記憶するように構成され、
前記センサデータは、ブロックチェーンシステムを使用して記憶され、前記第１のトークン及び前記第２のトークンのトークントランザクションは、前記ブロックチェーンシステムを使用して記憶され、前記データストレージサーバ、前記サービスプロバイダサーバ、及び前記ゲートウェイは、前記ブロックチェーンシステムに登録済みのノードである、
前記システム。
【請求項２】
複数のゲートウェイを含む前記システムであって、前記複数のゲートウェイは、前記データストレージサーバと通信し、前記データストレージサーバは、前記ゲートウェイからセンサデータを受信するように構成され、前記ゲートウェイは、前記サービスプロバイダサーバに登録されたデバイスから前記センサデータを受信するように設定され、前記データストレージサーバは、前記ゲートウェイから前記センサデータを受信した後に前記ゲートウェイに第２のトークンを発行するように構成され、
前記データストレージサーバはさらに、前記受信したセンサデータを前記データストレージサーバに記憶する、または前記受信したセンサデータを前記サービスプロバイダサーバに記憶するように構成され、前記センサデータは、前記ブロックチェーンシステムを使用して記憶され、前記第１のトークン及び前記第２のトークンのトークントランザクションは、前記ブロックチェーンシステムを使用して記憶され、前記ゲートウェイは、前記ブロックチェーンシステムに登録済みのノードである、
請求項１に記載のシステム。
【請求項３】
前記複数のゲートウェイには、複数のＬＲゲートウェイ及び複数のＢＬＥゲートウェイが含まれる、請求項２に記載のシステム。
【請求項４】
前記ゲートウェイは、前記サービスプロバイダサーバに登録された複数のデバイスから前記センサデータを受信するように設定される、請求項２または３に記載のシステム。
【請求項５】
複数のサービスプロバイダサーバを含む前記システムであって、前記サービスプロバイダサーバは、前記データストレージサーバと通信し、前記データストレージサーバは、第１のトークンを生成し、前記サービスプロバイダサーバから記録を受信し、前記サービスプロバイダサーバに第１のトークンを発行し、前記サービスプロバイダサーバから第１のトークンを受信するように構成され、前記第１のトークンのトークントランザクションは、前記ブロックチェーンシステムを使用して記憶され、
前記サービスプロバイダサーバは、前記ブロックチェーンシステムに登録済みのノードである、
請求項１から４のいずれか１項に記載のシステム。
【請求項６】
複数のサービスプロバイダサーバを含む前記システムであって、前記サービスプロバイダサーバは、前記データストレージサーバと通信し、前記データストレージサーバは、第１のトークンを生成し、前記サービスプロバイダサーバから記録を受信し、前記サービスプロバイダサーバに第１のトークンを発行し、前記サービスプロバイダサーバから第１のトークンを受信するように構成され、前記第１のトークンのトークントランザクションは、前記ブロックチェーンシステムを使用して記憶され、
前記サービスプロバイダサーバは、前記ブロックチェーンシステムに登録済みのノードであり、
前記ゲートウェイは、前記サービスプロバイダサーバに登録された複数のデバイスから前記センサデータを受信するように設定される、請求項２に記載のシステム。
【請求項７】
前記サービスプロバイダサーバに登録された前記デバイスは、モバイルコンピューティングデバイスである、前記サービスプロバイダサーバに登録された前記デバイスは、スマートフォンであるモバイルコンピューティングデバイスである、又は、前記サービスプロバイダサーバに登録された前記デバイスは、デスクトップコンピュータまたは家電製品である、請求項１から６のいずれか１項に記載のシステム。
【請求項８】
前記システムは、低電力広域ネットワーク（ＬＰＷＡＮ）及びＢｌｕｅｔｏｏｔｈ接続を含む、請求項１から７のいずれか１項に記載のシステム。
【請求項９】
Ｂｌｕｅｔｏｏｔｈ  Ｌｏｗ  Ｅｎｅｒｇｙ（ＢＬＥ）を含む前記システムであって、前記システムのＢｌｕｅｔｏｏｔｈ  Ｌｏｗ  Ｅｎｅｒｇｙ（ＢＬＥ）は、顧客のスマートフォンをモバイルゲートウェイとして使用する、請求項１から８のいずれか１項に記載のシステム。
【請求項１０】
前記システムの適用分野は、スマートシティ、農業、使用状況データ収集、小売り、資源管理、輸送及び物流、カスタマエクスペリエンス分析、並びに人道支援、のうちの１つ以上である、請求項１から９のいずれか１項に記載のシステム。
【請求項１１】
前記システムは配送会社により使用可能であり、追跡センサが配送用パッケージに含められ、ゲートウェイにセンサデータを提供する、前記配送用パッケージは、サプライヤからクライアントまで追跡される、又は、在庫経過時間、配達所要時間、棚卸時間、のうちの１つ以上を含む精細なデータが収集される、請求項１から１０のいずれか１項に記載のシステム。
【請求項１２】
前記システムは、建設現場の建設会社により使用される、または建設された建物の管理会社により使用される、請求項１から１１のいずれか１項に記載のシステム。
【請求項１３】
前記建設現場の前記建設会社は、前記システムを使用して、騒音レベルを制御し、建設中の前記建物に自動閉回路テレビ（ＣＣＴＶ）ソリューションを実装する、又は、前記建設された建物の前記管理会社は、前記システムを使用して、前記建設された建物のアパートのマンホール、屋根裏、または階段吹抜け空間の開閉を制御する、請求項１２に記載のシステム。
【請求項１４】
スマートシティは、前記システムを使用して、環境監視、セキュリティと安全性、駐車メータ、街路照明、小売ソリューション、ユーティリティサービス、輸送、廃棄物管理、湾岸物流、市民データ共有、のうちの１つ以上を行う、請求項１から１３のいずれか１項に記載のシステム。
【請求項１５】
降雨、湿度、土壌組成、地勢、大気汚染、気圧、温度、及び日光、のうちの１つ以上を追跡する環境センサが設置される、請求項１から１４のいずれか１項に記載のシステム。
【請求項１６】
送水管内の水位に関するセンサデータを使用して、漏出による損失量を減らし、新たな漏出を防ぐ、又は、配水網全体の送水管にセンサを埋め込み、前記センサデータをポンプ制御システムに連絡することで、前記送水管内の水圧を制御する、請求項１から１５のいずれか１項に記載のシステム。
【請求項１７】
センサは、スマートメータを含み、前記スマートメータは、リソースを効率的に割り当てるために、照明及び建物のエネルギー使用量に関する情報を中継して中央管理システムに送り返す、請求項１から１６のいずれか１項に記載のシステム。
【請求項１８】
街灯柱に街灯柱センサが設置され、温度、騒音、及び大気質、のうちの１つ以上を含む環境条件が監視される、請求項１から１７のいずれか１項に記載のシステム。
【請求項１９】
前記システムは、リアルタイムフリート管理、貨物完全性監視、最適化された倉庫作業負荷、在庫追跡及び分析、配送プロセスのエンドツーエンドの可視化、スマートラベル、予知保全、保管状況管理、のうちの１つ以上を含むサプライチェーンの用途で使用される、請求項１から１８のいずれか１項に記載のシステム。
【請求項２０】
前記システムは、薬局のサプライチェーンソリューションに使用され、前記システムは医薬品を含む全ての個別の箱を追跡し、配送ルート全体に沿ってデータが収集される、請求項１から１９のいずれか１項に記載のシステム。
【請求項２１】
前記システムは、そのインフラストラクチャをクラウドソーシングし、センサからのデータは、一般市民のスマートフォン及び任意の互換性のあるゲートウェイを使用して転送される、請求項１から２０のいずれか１項に記載のシステム。
【請求項２２】
車両（例えば車）に取り付けられたステッカーに保険追跡器センサが含まれ、前記保険追跡器センサを使用して、車両の使用状況に関するデータが収集され転送され、前記収集され転送されるデータには、前記車両が使用された日数、激しい加速と減速の連続、急カーブ、及びレーン切り替えの実行、のうちの１つ以上が含まれる、請求項１から２１のいずれか１項に記載のシステム。
【請求項２３】
公共輸送機関車両にセンサが設置され、公共輸送機関車両の十分近くに位置する、または公共輸送機関車両内部で移動するスマートフォンは、搭載センサからのデータを転送し、データは、前記スマートフォンの所有者による追加行動を全く必要とせずに転送され、前記システムはＢＬＥを含み、前記システムのＢＬＥは、前記スマートフォンが対応するＢｌｕｅｔｏｏｔｈ  Ｌｏｗ  Ｅｎｅｒｇｙ技術を使用する、請求項１から２２のいずれか１項に記載のシステム。
【請求項２４】
システムにトランザクション及びセンサデータを安全に記憶する方法であって、前記システムは、データストレージサーバと、サービスプロバイダサーバと、ゲートウェイとを含み、前記サービスプロバイダサーバは前記データストレージサーバと通信し、前記ゲートウェイは前記データストレージサーバと通信し、前記方法は、
（ｉ）前記データストレージサーバ、前記サービスプロバイダサーバ、及び前記ゲートウェイが、ブロックチェーンシステムにノードとして登録することと、
（ｉｉ）前記データストレージサーバが、第１のトークンを生成することと、
（ｉｉｉ）前記データストレージサーバが、前記サービスプロバイダサーバから記録を受け取り、前記サービスプロバイダサーバに第１のトークンを発行し、前記サービスプロバイダサーバから第１のトークンを受信することと、
（ｉｖ）前記ゲートウェイが、前記サービスプロバイダサーバに登録されたデバイスからセンサデータを受信し、前記データストレージサーバが、前記ゲートウェイから前記センサデータを受信することと、
（ｖ）前記ゲートウェイから前記センサデータを受信した後、前記データストレージサーバが、前記ゲートウェイに第２のトークンを発行することと、
（ｖｉ）前記データストレージサーバが、前記受信したセンサデータを前記データストレージサーバまたは前記サービスプロバイダサーバに、前記ブロックチェーンシステムを使用して記憶することと、
（ｖｉｉ）前記データストレージサーバが、前記第１のトークン及び前記第２のトークンのトークントランザクションを、前記ブロックチェーンシステムを使用して記憶することと、
のステップを含む、方法。